(57)【特許請求の範囲】
【請求項１】
ガラス基板と、
前記ガラス基板の一面を被覆する親水性膜と、
前記親水性膜で被覆される前記ガラス基板の一面に対向する、前記ガラス基板の他面を被覆する反射層と、
前記ガラス基板を被覆する前記反射層の一面に対向する、前記反射層の他面を被覆する保護層と、
前記保護層の少なくとも一部を被覆する耐食層と、
を備え、
前記耐食層が、前記反射層を被覆する前記保護層の一面に対向する、前記保護層の他面の一部を被覆して前記保護層の中央区域を露出し、且つ前記保護層の周壁、前記反射層の周壁、前記ガラス基板の周壁、及び前記ガラス基板を被覆する前記親水性膜の一面に対向する、前記親水性膜の他面の一部を被覆して前記親水性膜の中央区域を露出することを特徴とするガラス製品。
【発明の詳細な説明】
【技術分野】
【０００１】
本発明は、ガラス製品に関するものである。
【背景技術】
【０００２】
夏や冬の季節において、室内と室外とでは温度差があるため、空気中の水蒸気がミラー等のガラス製品の表面上に容易に凝結する。従って、ガラス製品の光透過率が低減されるため、使用者に不便である。
【発明の概要】
【発明が解決しようとする課題】
【０００３】
上記課題を解決するために、本発明は、防曇性を有するガラス製品を提供する。
【課題を解決するための手段】
【０００４】
本発明に係るガラス製品は、ガラス基板と、ガラス基板の一面を被覆する親水性膜と、親水性膜で被覆されるガラス基板の一面に対向する、ガラス基板の他面を被覆する反射層と、ガラス基板を被覆する反射層の一面に対向する、反射層の他面を被覆する保護層と、を備える。
ガラス製品は、さらに、保護層の少なくとも一部を被覆する耐食層を備える。
耐食層は、反射層を被覆する保護層の一面に対向する、保護層の他面を被覆し、且つ保護層の周壁、反射層の周壁及びガラス基板の周壁の少なくとも一部を被覆する。
耐食層は、反射層を被覆する保護層の一面に対向する、保護層の他面の周辺区域を被覆して保護層の中央区域を露出し、且つ保護層の周壁、反射層の周壁及びガラス基板の周壁の少なくとも一部を被覆する。
耐食層は、反射層を被覆する保護層の一面に対向する、保護層の他面の周辺区域を被覆して保護層の中央区域を露出し、且つ保護層の周壁、反射層の周壁、ガラス基板の周壁、及びガラス基板を被覆する親水性膜の一面に対向する、親水性膜の他面の周辺区域を被覆して親水性膜の少なくとも一部を露出する。
【発明の効果】
【０００５】
従来の技術と比べ、本発明のガラス製品は、ガラスの表面に霧が生じるのを防止することができるため、使用者に便利である。
【図面の簡単な説明】
【０００６】
【図１】本発明の実施形態に係るガラス製品の斜視図である。
【図２】本発明の第一実施形態に係るガラス製品のＶ−Ｖ線に沿う断面図である。
【図３】本発明の第二実施形態に係るガラス製品のＶ−Ｖ線に沿う断面図である。
【図４】本発明の第三実施形態に係るガラス製品のＶ−Ｖ線に沿う断面図である。
【発明を実施するための形態】
【０００７】
以下、図面を参照して、本発明の実施形態について説明する。
【０００８】
図１及び図２を参照すると、本発明の第一実施形態に係るガラス製品１００は、上から下に順次に積層された親水性膜１１０、ガラス基板１２０、反射層１３０、保護層１４０及び耐食層１５０を備える。
【０００９】
親水性膜１１０は、ガラス基板１２０の一面を覆い、反射層１３０は、親水性膜１１０で被覆されるガラス基板１２０の一面に対向する、ガラス基板１２０の他面を被覆している。保護層１４０は、ガラス基板１２０を被覆する反射層１３０の一面に対向する、反射層１３０の他面を被覆している。耐食層１５０は、保護層１４０の少なくとも一部を被覆する。これにより、反射層１３０の少なくとも一部が、空気中の水分及び酸素によって腐蝕されるのを防止することができる。
【００１０】
具体的には、ガラス基板１２０は、互いに対向して位置する第一表面１２１及び第二表面１２２を備える。第一表面１２１と第二表面１２２とは、互いに平行して位置する。親水性膜１１０は、ガラス基板１２０の第一表面１２１を被覆し、反射層１３０は、ガラス基板１２０の第二表面１２２を被覆し、保護層１４０は、ガラス基板１２０を被覆する反射層１３０の一面に対向する、反射層１３０の他面を被覆し、耐食層１５０は、反射層１３０の少なくとも一部が空気中の水分及び酸素によって腐蝕されるのを防止するために、保護層１４０の少なくとも一部を被覆している。本実施形態において、耐食層１５０は、反射層１３０を被覆する保護層１４０の一面に対向する、保護層１４０の他面を被覆し、且つ保護層１４０の周壁、反射層１３０の周壁、及びガラス基板１２０の周壁１２３の一部を被覆する。ガラス基板１２０、反射層１３０及び保護層１４０の形状が直方体であるとき、耐食層１５０は、保護層１４０の四つの側部、反射層１３０の四つの側部、及びガラス基板１２０の四つの側部の一部を被覆する。
【００１１】
ガラス基板１２０は、ソーダガラス、アルミノシリケートガラス等の任意のタイプのガラスであっても良い。また、ガラス基板１２０の厚さは、任意の厚さであっても良い。本実施形態において、ガラス基板１２０の厚さは、２ｍｍ〜１８ｍｍである。
【００１２】
本実施形態において、親水性膜１１０は、シリコン基のスルホン酸基分子からなるフィルムである。親水性膜１１０の厚さは、１００ｎｍより小さく、ロックウェル硬度は、３Ｈ以上であり、耐熱温度は、２５０℃以上であり、初期の水接触角は、１０度より低い。他の実施形態において、親水性膜１１０は、気圧式スプレー、静電式スプレー、超音波スプレー、浸漬式塗布又はスリット式塗布等の方式によって、ガラス基板１２０の表面に形成しても良い。
【００１３】
反射層１３０は、銀、銅、アルミニウム及びこれらの混合物等の高反射率を有する材料からなる。反射層１３０は、親水性膜１１０が貼付されたガラス基板１２０の一側から入射した光を反射するために用いられる。
【００１４】
保護層１４０は、反射層１３０が摩損するのを防止するために用いられる。その材料は、低鉛の塗料であっても良い。
【００１５】
耐食層１５０の材料は、アクリル樹脂やエポキシ樹脂系のゲル又は高分子ポリマーから選択することができる。耐食層１５０の厚さは、１μｍ〜２００μｍである。
【００１６】
親水性膜１１０は厚さが薄いので、ガラス製品１００の光透過性に影響を与えない。また、親水性膜１１０は、さらに、高硬度及び高耐熱性を有する。ガラス製品１００を使用する時、水蒸気は、ガラス製品１００の表面で凝結されて、親水性膜１１０の表面に集まって水滴となった後、親水性膜１１０の表面から落ちる。これにより、ガラス製品１００の表面には霧が形成されない。また、保護層１４０及び耐食層１５０は、反射層１３０を保護し、反射層１３０が腐蝕されるのを防止することができるため、ガラス製品１００の使用寿命を延ばすことができる。
【００１７】
図３を参照すると、本発明の第二実施形態に係るガラス製品２００は、第一実施形態に係るガラス製品１００とほぼ同じであるが、異なる点は、耐食層２５０が、反射層２３０を被覆する保護層２４０の一面に対向する、保護層２４０の他面の周辺区域を被覆するため、保護層２４０の中央区域が露出され、また、耐食層２５０が、保護層２４０の周壁、反射層２３０の周壁及びガラス基板２２０の周壁の一部を被覆する点である。
【００１８】
具体的には、第二実施形態では、耐食層２５０は、反射層２３０を被覆する保護層２４０の一面に対向する、保護層２４０の他面の周辺区域を被覆し、且つ反射層２３０及び保護層２４０の周壁２２３（四つの側壁）を被覆する。従って、保護層２４０の中央区域は露出する。また、保護層２４０自体も一定の耐腐食性を有しているので、保護層２４０によって耐食層２５０の材料コストを節約できるだけでなく、反射層２３０を保護することもできる。
【００１９】
図４を参照すると、本発明の第三実施形態に係るガラス製品３００は、第一実施形態に係るガラス製品１００とほぼ同じであるが、異なる点は、第三実施形態では、耐食層３５０が、反射層３３０を被覆する保護層３４０の一面に対向する、保護層３４０の他面の周辺区域を被覆し、且つ保護層３４０、反射層３３０、ガラス基板３２０及び親水性膜３１０の周壁（四つの側壁）、並びにガラス基板３２０を被覆する親水性膜３１０の一面に対向する、親水性膜３１０の他面の周辺区域を被覆する。これにより、保護層３４０の一部及び親水性膜３１０の一部は露出される。
【００２０】
具体的には、第三実施形態では、保護層３４０の中央区域が露出され、また、保護層３４０自体も一定の耐腐食性を有しているので、保護層３４０によって耐食層３５０の材料コストを節約できるだけでなく、反射層３３０を保護することもできる。また、耐食層３５０が、保護層３４０から親水性膜３１０の表面まで延伸して、保護層３４０、反射層３３０、ガラス基板３２０及び親水性膜３１０の周壁を被覆するので、耐食層３５０がガラス製品３００から剥離されるのを防止することができ、より優れた耐久性を有する。
【符号の説明】
【００２１】
１００、２００、３００  ガラス製品
１１０、２１０、３１０  親水性膜
１２１  第一表面
１２０、２２０、３２０  ガラス基板
１２２  第二表面
１３０、２３０、３３０  反射層
１４０、２４０、３４０  保護層
１５０、２５０、３５０  耐食層
１２３、２２３、３２３  周壁
【図１】
0005982463.tif 000002
【図２】
0005982463.tif 000003
【図３】
0005982463.tif 000004
【図４】
0005982463.tif 000005